(57)【特許請求の範囲】
【請求項１】
左右一対のノンワイヤ型のカップ部と、前記カップ部の前側表面を覆うよう配置された本体表地と、前記本体表地の下辺部に設けられた土台部と、を備えるカップ付き女性用衣類であって、
前記カップ部の、前中心側から脇側に延びる上辺部が、前記本体表地に連結されており、
前記カップ部の他の部分が、前記本体表地と離間可能となっている、
ことを特徴とするカップ付き女性用衣類。
【請求項２】
前記土台部は、アンダーテープを含むことを特徴とする請求項１に記載のカップ付き女性用衣類。
【請求項３】
前記本体表地は、前記カップ部よりも高い伸縮性を有することを特徴とする請求項１又は２に記載のカップ付き女性用衣類。
【請求項４】
前記本体表地の上辺部は、前記カップ部の上辺部と略同一の輪郭を有することを特徴とする請求項１〜３のいずれか１項に記載のカップ付き女性用衣類。
【請求項５】
前記カップ部の上辺部に対向する端部と、前記本体表地又は前記土台部のいずれか一方との間に、カップ部保持部材が架け渡されていることを特徴とする請求項１〜４のいずれか１項に記載のカップ付き女性用衣類。
【請求項６】
前記カップ部保持部材は、弛んだ状態で架け渡されていることを特徴とする請求項５に記載のカップ付き女性用衣類。
【請求項７】
前記カップ部保持部材は、前記カップ部よりも高い伸縮性を有することを特徴とする請求項５又は６に記載のカップ付き女性用衣類。
【請求項８】
前記本体表地の裏面には、前記カップ部を覆うように本体裏地が設けられていることを特徴とする請求項１〜４のいずれか１項に記載のカップ付き女性用衣類。
【請求項９】
前記本体裏地は、前記カップ部よりも高い伸縮性を有することを特徴とする請求項８に記載のカップ付き女性用衣類。
【発明の詳細な説明】
【０００１】
【発明の属する技術分野】
本発明は、ブラジャー等のカップ付き女性用衣類に関する。
【０００２】
【従来の技術】
カップ付き女性用衣類の１つであるブラジャーには、着用時の身体へのストレスを減少させるため、カップ部の芯材にワイヤを用いていないノンワイヤ型のブラジャーがある。このようなノンワイヤ型のブラジャーにおいては、図５に示す一枚構造の構成を採るものや、図６に示す二重構造の構成を採るものが一般的である。
【０００３】
図５に示すブラジャー１は、左右一対のノンワイヤ型のカップ部２と、両カップ部２を下方から支持し連結する土台布３とを備えている。土台布３の下辺部にはアンダーテープ４が、左右両辺部にはバック布５が縫着され、カップ部２の上辺部の脇側端部とバック布５との間には肩ストラップ６が架け渡されている。
【０００４】
また、図６に示すブラジャー７は、左右一対のノンワイヤ型のカップ部２と、両カップ部２を下方から支持し連結する土台布３と、両カップ部２及び土台布３の前側表面を覆うよう配置され、土台布３の脇側辺部、左右両辺部及び下辺部が縫着されている本体表地８とを備えている。土台布３の下辺部にはアンダーテープ４が、左右両辺部にはバック布５が縫着され、本体表地８の上辺部の両脇側端部とバック布５との間にはそれぞれ肩ストラップ６が架け渡されている。
【０００５】
【発明が解決しようとする課題】
ところで、ブラジャー１においては、左右一対のカップ部２の下辺部が土台布３を介してアンダーテープ４に一体的に連結されているため、着用者が両腕を上げる等の動作をした際に、乳房の伸長によりカップ部２が上方に引き上げられ、これに伴ってアンダーテープ４も上方に引き上げられる。そのため、アンダーテープ４が乳房に乗り上げた状態となったり、アンダーテープ４自体に皺が寄ったりして、バストシルエットが崩れるという問題が生じる。
【０００６】
また、ブラジャー７においても、左右一対のカップ部２の下辺部が土台布３を介してアンダーテープ４に一体的に連結されているため、上述したブラジャー１と同様の問題が生じる。
【０００７】
そこで、本発明は、このような事情に鑑みてなされたものであり、着用者の動作による着崩れを防止して、バストシルエットを良好に保つことのできるノンワイヤ型のカップ付き女性用衣類を提供することを目的とする。
【０００８】
【課題を解決するための手段】
上記目的を達成するために、本発明に係るカップ付き女性用衣類は、左右一対のノンワイヤ型のカップ部と、カップ部の前側表面を覆うよう配置された本体表地と、本体表地の下辺部に設けられた土台部とを備えるカップ付き女性用衣類であって、カップ部の、前中心側から脇側に延びる上辺部が、本体表地に連結されており、カップ部の他の部分が、本体表地と離間可能となっていることを特徴とする。
【０００９】
着用者が両腕を上げる等の動作をした際には、乳房の伸長によりカップ部が上方に引き上げられるが、当該カップ部については、上辺部が本体表地に連結され、他の部分が本体表地と離間可能であるため、本体表地の下辺部に設けられた土台部は、バージス下方の所定の位置に保持される。また、この際、乳房の脇側上部は前中心側より皮膚伸展が大きくなるが、本体表地の脇側上辺部は、カップ部と離間可能であるため、皮膚の動きに追従してカップ部からはみだそうとする乳房をカバーする。したがって、上述した動作による着崩れを防止することができ、バストシルエットを良好に保つことが可能となる。
【００１０】
また、本体表地へのカップ部の連結が両カップ部それぞれの上辺部で行われているため、左右の乳房が別々の動きをした際にも、左右のカップ部それぞれが別々に乳房の動きに追従することができ、土台部はバージス下方の所定の位置に保持される。
【００１１】
ここで、本体表地へのカップ部の上辺部の連結は、当該上辺部のすべてに亘っていなくてもよいし、また、連続していなくてもよい。また、「カップ部の他の部分」とは、カップ部の上辺部を除く部分を意味する。さらに、「本体表地と離間可能」とは、本体表地に固定されていない状態であり、すなわち、カップ部の他の部分は、本体表地に対してスライド可能となっている。
【００１２】
なお、土台部がアンダーテープを含んでいる場合にも、上記同様の作用・効果を奏することとなる。
【００１３】
上記カップ付き女性用衣類において、本体表地は、カップ部よりも高い伸縮性を有することが好ましい。乳房の伸長等によりカップ部が上方に引き上げられた際、本体表地にはカップ部上辺部の連結部分を基点として引張り力が働くが、本体表地がカップ部よりも高い伸縮性を有しているため、本体表地のみが伸びて、カップ部を変形させたり、土台部をずらしたりすることを防止することができるからである。そして、本体表地が高い伸縮性を有することは、上述した皮膚伸展による乳房の脇側上部のカバーをより確実なものとするからでもある。ここで、「高い伸縮性」とは、外力に対して伸縮し易く、伸ばした際に生じる反発力（縮む力）が弱いという性質を意味する。
【００１４】
また、本体表地の上辺部は、カップ部の上辺部と略同一の輪郭を有することが好ましい。デザイン性の向上や製造工程の簡易化を図るためである。
【００１５】
さらに、上記カップ付き女性用衣類においては、カップ部の上辺部に対向する端部と、本体表地又は土台部のいずれか一方との間に、カップ部保持部材が架け渡されていることが好ましい。着脱の際にカップ部がめくれるのを防止するためである。
【００１６】
このとき、カップ部保持部材は、弛んだ状態で架け渡されていることが好ましい。着用者の動作等によりカップ部が移動した際にも、当該カップ部の移動量以上の弛みをもたせておけば、カップ部の移動によって本体表地や土台部が引っ張られ、これらが変形したり、土台部がずれたりするのを防止することができるからである。
【００１７】
また、カップ部保持部材は、カップ部よりも高い伸縮性を有することが好ましい。上記と同様の作用・効果を奏すると共に、カップ部がカップ部保持部材の弛み分以上移動した場合にも、当該カップ部の変形等を防止することができるからである。
【００１８】
その一方、上記カップ付き女性用衣類は、本体表地の裏面に、カップ部を覆うように本体裏地が設けられた構成を採ってもよい。着脱時のカップ部のめくれ防止やデザイン性の向上を図ることができるからである。
【００１９】
また、本体裏地は、カップ部よりも高い伸縮性を有することが好ましい。本体裏地をカップ部の上辺部と土台部とに固定した場合にも、カップ部の移動により土台部がずれるのを防止することができるからである。
【００２０】
【発明の実施の形態】
以下、図面と共に本発明の好適な実施形態（カップ付き女性用衣類の１つであるノンワイヤ型のブラジャー）について詳細に説明する。なお、本明細書において、上下、左右及び前後の方向は、カップ付き女性用衣類の着用者から見た方向であり、カップ付き女性用衣類における裏面とは、着用者の肌側の面を意味する。また、図面の説明において同一又は相当部分には同一符号を付し、重複する説明を省略する。
【００２１】
本実施形態に係るブラジャー１０の全体構成について、図１を参照して説明する。図１はブラジャー１０の構成図であり、（ａ）にその斜視図を示し、（ｂ）にその裏面図を示す。
【００２２】
ブラジャー１０は、前中心の左右両側に配置された一対のカップ部１２と、両カップ部１２の前側表面を覆うよう配置され、カップ部１２それぞれの上辺部のみが縫着等により連結されている本体表地１４と、本体表地１４の下辺部に縫着等により取り付けられたアンダーテープ１６（土台部）と、本体表地１４の左右両辺部に縫着等により取り付けられ、後背側に延びる左右一対のバック布１８と、バック布１８それぞれの後背側端部に設けられ、互いに係脱自在のホック（図示しない）とを備えている。
【００２３】
さらに、ブラジャー１０は、本体表地１４のカップ部１２上方の端部とバック布１８とに縫着等により取り付けられ、両者間に架け渡された肩ストラップ２０と、カップ部１２の上辺部に対向する端部とアンダーテープ１６とに縫着等により取り付けられ、両者間に架け渡されたカップ部保持部材２２とを備えている。
【００２４】
なお、アンダーテープ１６及びバック布１８には、伸縮性を有する織布や編布等の素材が用いられている。また、肩ストラップ２０は、織布等の素材が紐状に縫製されることにより形成されている。
【００２５】
上述したカップ部１２、本体表地１４及びカップ部保持部材２２の構成について、より詳細に説明する。
【００２６】
カップ部１２は、前側のカップ表布と肌側のカップ裏布とでパッド状の芯材を挟むことにより構成されたノンワイヤ型のカップであり、横方向に延びる下辺部、脇側に位置する脇側辺部、及び前中心から脇側に向かって斜め上方に延びる上辺部２４から成る略三角形状を有している。なお、カップ表布及びカップ裏布には、織布や編布等の素材が用いられており、芯材には、不織布、発泡ポリウレタン又はダブルラッセル等の保形性及び弾力性を有する素材が用いられている。
【００２７】
本体表地１４は、横方向に延びる下辺部、脇側に位置する脇側辺部、及び前中心から脇側に向かって斜め上方に延びる上辺部２６からなる形状を有しており、デザイン性の向上や製造工程の簡易化を図るため、上辺部２６は、カップ部１２の上辺部２４と略同一の輪郭を有している。なお、本体表地１４には伸縮性を有する織布や編布等の素材が用いられ、本体表地１４は、例えば丸編み等によりカップ部１２よりも高い伸縮性を有している。また、脇側辺部及び上辺部２６はパイピング始末されている。
【００２８】
カップ部１２と本体表地１４とは、それぞれの上辺部２４、２６が一致するよう配置され、上辺部２４のみが上辺部２６に縫着等されることにより（図の波線部）連結されている。したがって、カップ部１２の上辺部２４を除く他の部分は、本体表地１４に対してスライド可能となっている。
【００２９】
カップ部保持部材２２は、着脱の際にカップ部１２がめくれるのを防止するためのテープ状の部材であり、着用者の動作等によるアンダーテープ１６に対するカップ部１２の移動量を想定し、当該移動量以上の弛みをもたせて、カップ部１２の上辺部２４に対向する端部とアンダーテープ１６との間に架け渡されている。なお、カップ部保持部材２２には、カップ部１２よりも高い伸縮性を有する素材が用いられている。また、カップ部保持部材２２のカップ部１２と反対側の端部は、縫着等により本体表地１４の裏面に取り付けてもよい。
【００３０】
上述したブラジャー１０の作用・効果について、図２を参照して説明する。図２はブラジャー１０着用時のカップ部中央部の縦断面図であり、（ａ）に着用者が両腕を下ろしている状態を示し、（ｂ）に着用者が両腕を上げている状態を示す。
【００３１】
図２（ａ）に示すように、着用者が両腕を下ろしている際には、アンダーテープ１６はバージス下方の所定の位置に配置され、乳房はカップ部１２によって自然な丸みをもって保形されている。
【００３２】
この状態から着用者が両腕を上げると、図２（ｂ）に示すように、乳房が上方に伸長するため、カップ部１２には、乳房と共に上方に引き上げられる力が働く。このとき、カップ部１２は、その上辺部２４のみが本体表地１４の上辺部２６に縫着等により連結されており、他の部分は本体表地１４にもアンダーテープ１６にも固定されていない（すなわち、本体表地に対してスライド可能である）。また、本体表地１４はカップ部１２よりも高い伸縮性を有している。これにより、カップ部１２は、本体表地１４の裏面をスライドして乳房と共に距離Ｄだけ上方に引き上げられ、同時に、本体表地１４は、カップ部１２との連結部分、すなわち上辺部２６を基点とした上方への引張り力により距離Ｄだけ伸びることとなる。
【００３３】
したがって、本体表地１４のみが伸びて、カップ部１２を変形させたり、アンダーテープ１６をずらしたりすることを防止することができる。また、アンダーテープ１６はバージス下方の所定の位置に保持されるので、着用者が両腕を下ろした際には、再び、図２（ａ）に示す状態に戻ることが可能となる。さらに、本体表地１４の脇側上辺部は、カップ部１２と固定されておらず且つカップ部１２よりも高い伸縮性を有するため、皮膚伸展の大きい乳房の脇側上部の動きに追従してカップ部１２からはみだそうとする乳房を確実にカバーする。
【００３４】
なお、カップ部１２の上辺部２４に対向する端部とアンダーテープ１６との間にはカップ部保持部材２２が架け渡されているが、カップ部保持部材２２は、距離Ｄ以上の弛みを有すると共に、カップ部１２よりも高い伸縮性を有しているため、上述した着用者が両腕を上げた際のブラジャー１０の動きを妨げることはない。
【００３５】
このように、ブラジャー１０によれば、着用者が両腕を上げる等の動作をしても、アンダーテープ１６が乳房に乗り上げた状態となったり、アンダーテープ１６自体に皺が寄ったりする着崩れを防止することができ、バストシルエットを良好に保つことが可能となる。
【００３６】
また、本体表地１４へのカップ部１２の連結が両カップ部１２それぞれの上辺部２４で行われているため、左右の乳房が別々の動きをした際にも、左右のカップ部１２それぞれが別々に乳房の動きに追従することができ、アンダーテープ１６はバージス下方の所定の位置に保持される。
【００３７】
以上、本発明の好適な一実施形態について詳細に説明したが、本発明は上記実施形態に限定されないことはいうまでもない。
【００３８】
例えば、本発明は、ブラジャーの本体表地の裏面に本体裏地を設けた構成を採ってもよい。図３は、両カップ部が離間しているブラジャー３０の構成図であり、図４は、両カップ部が当接しているブラジャー４０の構成図である。なお、それぞれの図において、（ａ）にその斜視図を示し、（ｂ）にその裏面図を示す。
【００３９】
図３に示すブラジャー３０は、肩ストラップ及びカップ部保持部材が設けられていない点、並びにカップ部１２の形状及び本体裏地３２が設けられている点が上述したブラジャー１０と異なっている。
【００４０】
すなわち、カップ部１２は、下方に凸となるよう湾曲した下辺部、及び上方に凸となるよう湾曲した上辺部２４とから成る形状を有しており、前中心の左右両側に両カップ部１２が離間した状態となるよう、それぞれの上辺部２４が本体表地１４の上辺部２６に縫着等されることにより（図の波線部）連結されている。
【００４１】
両カップ部１２の裏面は１枚の本体裏地３２によって覆われており、本体裏地の周囲のみが本体表地１４に縫着等により取り付けられている。本体裏地３２には、伸縮性を有する織布や編布等の素材が用いられ、本体裏地３２は、カップ部１２よりも高い伸縮性を有している。
【００４２】
また、図４に示すブラジャー４０は、両カップ部１２が前中心の左右両側に当接するよう配置されている点、及びカップ部１２それぞれの裏面が別々の本体裏地３２によって覆われている点が前記ブラジャー３０と異なっている。
【００４３】
これらのブラジャー３０とブラジャー４０とによれば、カップ部１２が本体表地１４と本体裏地３２とで挟まれているため、着脱時のカップ部のめくれを防止し、また、デザイン性の向上を図ることが可能となる。
【００４４】
また、本体裏地３２は、カップ部１２に固定されておらず、且つカップ部１２よりも高い伸縮性を有しているため、着用者が両腕を上げる等の動作をした際に、カップ部１２及び本体表地１４の動きを妨げることはない。したがって、上述したブラジャー１０と同様の作用・効果を奏することとなる。
【００４５】
なお、上記実施形態では、ブラジャーについて説明したが、本発明は、種々のカップ付き女性用衣類、例えば、ブラスリップ、ブラキャミソール、ボディスーツ、ボディテディ等のファンデーション衣類、水着やレオタード等にも適用可能である。
【００４６】
【発明の効果】
以上説明したように、本発明によれば、着用者が両腕を上げる等の動作をした際には、乳房の伸長によりカップ部が上方に引き上げられるが、当該カップ部については、上辺部が本体表地に連結され、他の部分が本体表地と離間可能であるため、本体表地の下辺部に設けられた土台部は、バージス下方の所定の位置に保持される。また、この際、乳房の脇側上部は前中心側より皮膚伸展が大きくなるが、本体表地の脇側上辺部は、カップ部と離間可能であるため、皮膚の動きに追従してカップ部からはみだそうとする乳房をカバーする。したがって、上述した動作による着崩れを防止することができ、バストシルエットを良好に保つことが可能となる。
【００４７】
また、本体表地へのカップ部の連結が両カップ部それぞれの上辺部で行われているため、左右の乳房が別々の動きをした際にも、左右のカップ部それぞれが別々に乳房の動きに追従することができ、土台部はバージス下方の所定の位置に保持される。
【００４８】
さらに、本体表地がカップ部よりも高い伸縮性を有することは最低条件であるが、当該伸縮性を適宜設定することにより、１サイズで対応可能な体形やバスト形状の範囲を拡大することが可能となる。このような１サイズによるカバー率の向上は、水着のようにＭ、Ｌ等の少ないサイズで対応するカップ付き女性用衣類に特に有効である。なお、このときカップ部に対する乳房の大きさが大きくなると、カップ部と本体表地との伸縮性の差によって、従来一般には乳房の前中心から脇側に延びる上辺部で大きな段差が生じるが（他の部分はバック布等により引っ張られ段差が生じにくい）、本発明では、当該上辺部が本体表地に連結されているため、このような段差が生じることをも防止することができる。
【図面の簡単な説明】
【図１】実施形態に係るブラジャーの構成図であり、（ａ）にその斜視図を示し、（ｂ）にその裏面図を示す。
【図２】図１のブラジャー着用時のカップ部中央部の縦断面図であり、（ａ）に着用者が両腕を下ろしている状態を示し、（ｂ）に着用者が両腕を上げている状態を示す。
【図３】他の実施形態に係る、両カップ部が離間しているブラジャーの構成図であり、（ａ）にその斜視図を示し、（ｂ）にその裏面図を示す。
【図４】他の実施形態に係る、両カップ部が当接しているブラジャーの構成図であり、（ａ）にその斜視図を示し、（ｂ）にその裏面図を示す。
【図５】従来の一枚構造のブラジャーの構成を示す斜視図である。
【図６】従来の二重構造のブラジャーの構成を示す斜視図である。
【符号の説明】
１０、３０、４０…ブラジャー、１２…カップ部、１４…本体表地、１６…アンダーテープ、２２…カップ部保持部材、２４、２６…上辺部、３２…本体裏地。
【図１】
0003981554.tif 000002
【図２】
0003981554.tif 000003
【図３】
0003981554.tif 000004
【図４】
0003981554.tif 000005
【図５】
0003981554.tif 000006
【図６】
0003981554.tif 000007